【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
スクロール指示に応じて、複数の項目を表示する項目一覧部品上に表示させる項目をスクロール指示の方向に第１の項目数分スクロールする情報処理装置であって、
前記項目一覧部品上に含まれる項目のデータを記憶するデータ格納部からロードされる、前記項目のデータを記憶するメモリと、
前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、
前記制御手段は、
前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする情報処理装置。
【請求項２】
スクロール指示に応じて、複数の項目を表示する項目一覧部品上に表示させる項目をスクロール指示の方向に第１の項目数分スクロールする情報処理装置であって、
前記項目一覧部品上に含まれる項目のデータを記憶するデータ格納部からロードされる、前記項目のデータを記憶するメモリと、
前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、
前記制御手段は、
前記スクロール指示が所定の間隔より早い間隔で行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする情報処理装置。
【請求項３】
スクロール指示に応じて、複数の項目を表示する項目一覧部品上に表示させる項目をスクロール指示の方向に第１の項目数分スクロールする情報処理装置であって、
前記項目一覧部品上に含まれる項目のデータを記憶するデータ格納部からロードされる、前記項目のデータを記憶するメモリと、
前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、
前記制御手段は、
スクロールバーがドラッグされたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする情報処理装置。
【請求項４】
前記制御手段は、前記スクロール指示の方向に対して所定時間以上継続して行われていたスクロール指示が終わったと判定されると、当該方向に対するさらなるスクロール指示に応じて表示される第１の項目のデータと、当該方向とは異なる方向に対するスクロール指示に応じて表示される第２の項目のデータとを、前記データ格納部から前記メモリにロードすることを特徴とする請求項１記載の情報処理装置。
【請求項５】
スクロール指示に応じて、複数の項目を表示する項目一覧部品上に表示させる項目をスクロール指示の方向に第１の項目数分スクロールする装置が行う情報処理方法であって、
前記スクロール指示に応じて前記項目一覧部品上に表示させる前記第１の項目数分の項目のデータがメモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記項目一覧部品に含まれる項目のデータを記憶するデータ格納部から、前記第１の項目数よりも多くの項目のデータを前記メモリにロードし、当該メモリから、前記第１の項目数分の項目のデータを読み出し、当該項目を表示させる制御工程を有し、
前記制御工程においては、
前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする情報処理方法。
【請求項６】
スクロール指示に応じて、複数の項目を表示する項目一覧部品上に表示させる項目をスクロール指示の方向に第１の項目数分スクロールするようにコンピュータに実行させるプログラムであって、
前記スクロール指示に応じて前記項目一覧部品上に表示させる前記第１の項目数分の項目のデータがメモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記項目一覧部品に含まれる項目のデータを記憶するデータ格納部から、前記第１の項目数よりも多くの項目のデータを前記メモリにロードし、当該メモリから、前記第１の項目数分の項目のデータを読み出し、当該項目を表示させる制御工程をコンピュータに実行させ、
前記制御工程においては、
前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードするようにコンピュータに実行させることを特徴とするプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は情報処理装置、情報処理方法及びプログラムに関し、例えばデータの先読みタイミング技術に用いて好適な技術に関する。
【手続補正４】
【補正対象書類名】明細書
【補正対象項目名】００１０
【補正方法】変更
【補正の内容】
【００１０】
本発明の情報処理装置は、スクロール指示に応じて、複数の項目を表示する項目一覧部品上に表示させる項目をスクロール指示の方向に第１の項目数分スクロールする情報処理装置であって、前記項目一覧部品上に含まれる項目のデータを記憶するデータ格納部からロードされる、前記項目のデータを記憶するメモリと、前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、前記制御手段は、前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする。
また、本発明の情報処理装置の他の特徴とするところは、スクロール指示に応じて、複数の項目を表示する項目一覧部品上に表示させる項目をスクロール指示の方向に第１の項目数分スクロールする情報処理装置であって、前記項目一覧部品上に含まれる項目のデータを記憶するデータ格納部からロードされる、前記項目のデータを記憶するメモリと、前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、前記制御手段は、前記スクロール指示が所定の間隔より早い間隔で行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする。
また、本発明の情報処理装置のその他の特徴とするところは、スクロール指示に応じて、複数の項目を表示する項目一覧部品上に表示させる項目をスクロール指示の方向に第１の項目数分スクロールする情報処理装置であって、前記項目一覧部品上に含まれる項目のデータを記憶するデータ格納部からロードされる、前記項目のデータを記憶するメモリと、前記スクロール指示に応じて前記項目一覧部品上に表示させる前記第１の項目数分の項目のデータが前記メモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記データ格納部から、前記第１の項目数よりも多くの項目のデータを前記メモリにロードし、当該メモリから、前記第１の項目数分の項目のデータを読み出し、当該項目を表示させる制御手段とを有し、前記制御手段は、スクロールバーがドラッグされたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする。
本発明の情報処理方法は、スクロール指示に応じて、複数の項目を表示する項目一覧部品上に表示させる項目をスクロール指示の方向に第１の項目数分スクロールする装置が行う情報処理方法であって、前記スクロール指示に応じて前記項目一覧部品上に表示させる前記第１の項目数分の項目のデータがメモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記項目一覧部品に含まれる項目のデータを記憶するデータ格納部から、前記第１の項目数よりも多くの項目のデータを前記メモリにロードし、当該メモリから、前記第１の項目数分の項目のデータを読み出し、当該項目を表示させる制御工程を有し、前記制御工程においては、前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードすることを特徴とする。
本発明のプログラムは、スクロール指示に応じて、複数の項目を表示する項目一覧部品上に表示させる項目をスクロール指示の方向に第１の項目数分スクロールするようにコンピュータに実行させるプログラムであって、前記スクロール指示に応じて前記項目一覧部品上に表示させる前記第１の項目数分の項目のデータがメモリに記憶されている場合は、前記メモリから前記第１の項目数分の項目のデータを読み出し、当該項目を表示させ、前記スクロール指示に応じて前記項目一覧部品上に表示させる前記第１の項目数分の項目のデータが前記メモリに記憶されていない場合は、前記項目一覧部品に含まれる項目のデータを記憶するデータ格納部から、前記第１の項目数よりも多くの項目のデータを前記メモリにロードし、当該メモリから、前記第１の項目数分の項目のデータを読み出し、当該項目を表示させる制御工程をコンピュータに実行させ、前記制御工程においては、前記スクロール指示が所定時間以上継続して行われたことにより、当該スクロール指示の方向へのスクロールが連続して行われるモードが設定されると、当該方向に応じた前記第１の項目数分の項目のデータが前記メモリに記憶されている場合であっても、前記スクロール指示の方向に応じた項目であって前記メモリに記憶されていない項目のデータを前記第１の項目数よりも多くの項目数分前記データ格納部から前記メモリにロードするようにコンピュータに実行させることを特徴とする。